(57)【要約】      （修正有）【課題】食品用の容器本体の形状が簡素で、容器本体と使い捨てフィルムとを簡易に密着できる食品用容器の製造方法を提供する。【解決手段】底部から滑らかな曲面を有して開口を有する容器本体３の内面全体に第１のフィルム１１を置いた状態で、容器本体の縁と第１のフィルムの端との間に管部材２１を差し込む第１の工程の実行後、空気吸引手段により管部材から空気を抜いて第１のフィルムと容器本体の内面とを密着する第２の工程を実行する。【選択図】図４
2015182768.tif 000002
【特許請求の範囲】
【請求項１】
底部から滑らかな曲面を有して開口を有する容器本体の内面全体に第１のフィルムを置いた状態で、前記容器本体の縁と前記第１のフィルムの端との間に管部材を差し込む第１の工程の実行後、
空気吸引手段により前記管部材から空気を抜いて前記第１のフィルムと前記容器本体の内面とを密着する第２の工程を実行する、
ことを特徴とする食品用容器の製造方法。
【請求項２】
上面端部が接着可能な第１の片を前記第１のフィルムの端部下面に接着する第１の準備工程を備える、
ことを特徴とする請求項１に記載の食品用容器の製造方法。
【請求項３】
上面端部が接着可能な第２の片を前記第２のフィルムの端部下面に接着する第２の準備工程を備え、
前記第１のフィルムに第２のフィルムを重ねた後、
前記第１及び第２の片は、前記第１及び第２のフィルムよりも耐熱性の高いテープから成り、加熱手段により前記第１及び第２のフィルムを溶着して前記テープが溶けない温度にて熱を加えて作製する第３の工程を実行する、
ことを特徴とする請求項２に記載の食品用容器の製造方法。
【発明の詳細な説明】
【技術分野】
【０００１】
本発明は、食品用容器の製造方法に関するものである。
【背景技術】
【０００２】
従来の食品用容器は、下記特許文献１に記載のように、内面に、食品との接触による汚れを防止する複数枚の汚れ防止用フィルム（F1）（F2）（F3）が積層されるとともに、各フィルムが、その裏面側に位置する他の面に剥離可能に接合されている。
【０００３】
このような食品用容器によれば、内面に、複数枚の汚れ防止用フィルムが積層されるとともに、各フィルムが、その裏面側に位置する他の面に剥離可能に接合されているので、食事後にフィルムを一枚引き剥がすことによって容器本体の内面を簡単に綺麗な状態にすることができる。さらに、この食品用容器によれば、食事する度に容器を廃棄する必要がなくなり、このため、ゴミの量を減らすことができる。
【先行技術文献】
【特許文献】
【０００４】
【特許文献１】特開２００３−４０２５６号公報
【発明の概要】
【発明が解決しようとする課題】
【０００５】
しかしながら、食品用容器では、容器本体に使い捨てフィルム（F1）（F2）（F3）を密着して積層するには、容器本体は、複数個の側壁を備えるとともに、隣接する２個の側壁同士が、各側壁の側縁に連設され且つ互いに折半用折目を介して連設された一対の折半部からなる連結片が、折半用折目から二つ折り状に折り曲げられた状態で一方の側壁の外面に接合されることによって連結され、複数枚のフィルムのうち最下位のフィルムは、連結片対応部位を備え、該連結片対応部位が連結片の内面に積層された状態で連結片と共に二つ折り状に折り曲げられている。
すなわち、容器本体はフィルムを密着させるのに、複雑な上記連結片対応部位を有しなければならないという課題を見出した。
【０００６】
本発明は、上記のような課題を解決するためになされたもので、食品用の容器本体の形状が簡素で、容器本体と使い捨てフィルムとを簡易に密着できる食品用容器の製造方法を提供することを目的とする。
【課題を解決するための手段】
【０００７】
第１の発明に係る食品用容器の製造方法は、底部から滑らかな曲面を有して開口を有する容器本体の内面全体に第１のフィルムを置いた状態で、前記容器本体の縁と前記第１のフィルムの端との間に管部材を差し込む第１の工程の実行後、
空気吸引手段により前記管部材から空気を抜いて前記第１のフィルムと前記容器本体の内面とを密着する第２の工程を実行する、ことを特徴とするものである。
このため、容器本体の内面に第１のフィルムを簡易に密着できる。これにより、食品用容器に食品を入れても、第１のフィルムが移動しにくいので、食品用容器内の食品を箸などで安定して取り出して食することができる。
【０００８】
第２の発明に係る食品用容器の製造方法は、上面端部が接着可能な第１の片を前記第１のフィルムの端部下面に接着する第１の準備工程を備える、ことを特徴とするものである。
食品用容器にそばなどを入れて食した後、第１の片を指で持ち上げることにより第１のフィルムも持ち上がるので、食べかす等が付着した第１のフィルムを容易に容器本体から剥がすことができる。
【０００９】
第３の発明に係る食品用容器の包装方法は、上面端部が接着可能な第２の片を前記第２のフィルムの端部下面に接着する第２の準備工程を備え、前記第１のフィルムに第２のフィルムを重ねた後、前記第１及び第２の片は、前記第１及び第２のフィルムよりも耐熱性の高いテープから成り、加熱手段により前記第１及び第２のフィルムを溶着して前記テープが溶けない温度にて熱を加えて作製する第３の工程を実行する、ことを特徴とするものである。
これにより、第１のフィルムと第２のフィルムとが上面端部で溶着して接合するので、第１のフィルムと第２のフィルムとが簡易に接合して食品用容器にそばなどを入れても、この内容物を安定して食することができる。そして、第１及び第２の片が溶けずに残る。
食品用容器にそばなどを食した後、第２の片を指で持ち上げることにより第２のフィルムを容易に容器本体から剥がすことができる。その後、食品用容器にうどんなどを食した後、同様にして第１の片を指で持ち上げることにより第１のフィルムを容易に容器本体から剥がすことができる
【発明の効果】
【００１０】
本発明によれば、簡易な容器本体を用い、食品用の容器本体とフィルムとを簡易に密着できる食品用容器の製造方法を得ることができる。
【図面の簡単な説明】
【００１１】
【図１】本発明の一実施の形態による食品用容器の斜視図である。
【図２】図１に示す食品用容器の平面図である。
【図３】図２に示す食品用容器の矢視ＩＩＩ−ＩＩＩの断面図である。
【図４】図１に示す食品用容器の容器本体とフィルムとを密着させる工程図である。
【図５】図１に示す食品用容器のフィルムどうしを溶着させる工程図である。
【発明を実施するための最良の形態】
【００１２】
実施の形態１．
本発明の一実施の形態を図１から図３によって説明する。図１は、本発明の一実施の形態による食品用容器の斜視図、図２は、図１に示す食品用容器の平面図、図３は、図２に示す食品用容器の矢視ＩＩＩ−ＩＩＩの断面図である。
図１から図３において、食品用容器１は底部３ａから内面３ｃ滑らかな曲面を有して開口３ｅを有する椀状の容器本体３を有している。食品用容器１は、容器本体３が上端にリング状の縁部３ｈを有する椀状の形状をしており、内面３ｃに密着して敷き設された第１のフィルム１１と、さらに、第１のフィルム１１に密着して重ねられた第２のフィルム１２とを備えている。
なお、容器本体３は、上面部がリング状に形成されており、断面が略半円形状をしており、半球状の空間にそばなどを収納できるように形成されている。ここで、第１及び第２のフィルム１１,１２は、市販の食品保存用のラップを例示できる。
【００１３】
食品用容器１は、容器本体３の縁部の一端部に第１の片としての第１のテープ片２１が設けられており、容器本体３の縁部の他端部には第１のテープ片２１に対向して第２の片としての第２のテープ片２２が設けられている。すなわち、食品用容器１の図２に示すように、平面視で第１のテープ片２１と第２のテープ片２２とが互い違いに設けられている。視認性を良くするためである。
ここで、第１及び第２のテープ片２１,２２は、幅広から先細りになる半円形で、幅広の端部の片面に粘着性を有している。
【００１４】
図２において、第１のフィルム１１は略円形で、上端部にリング部を有しており、容器本体３の縁部の上面には、第１のフィルム１１の縁部の下面に第１のテープ片２１が溶着されている。
第２のフィルム１２は、略第１のフィルム１１と同様な形状をしており、第１のフィルム１１の上面に密着しており、上端部にリング部が形成されており、第１のテープ片２１と対向する縁部の上面には、第２のフィルム１２の縁部の下面に第２のテープ片２２が溶着されている。
【００１５】
このように、構成された食品用容器の製造方法を図１から図５によって説明する。図４は図１に示す食品用容器とフィルムとを密着させる工程図、図５は図１に示す食品用容器のフィルムどうしを溶着させる工程図である。
まず、円形の第１及び第２のフィルム１１,１２を用意する。容器本体３に第１のフィルム１１を載せて、一端部に第１のテープ片２１を接着する（第１の準備工程）。上面端部が接着可能な第２のテープ片２２を第２のフィルム１２の端部下面に接着する(第２の準備工程)。第１のフィルム１１に第２のフィルム１２を重ねる。
次に図４に示すように、円筒状の第１の管部材３１を容器本体３の縁部と第１のフィルム１１の縁との間に差し込み、円筒状の第２の管部材３２を第１のフィルム１１と第２のフィルム１２との間に差し込む（第１の工程）。
【００１６】
＜第１及び第２のフィルムの密着工程＞
第１及び第２の管部材３１，３２から図示していない吸引機により空気を吸い取ると、図２に示すように、容器本体３の内面と第１のフィルム１１とが密着し、第１のフィルム１１と第２のフィルム１２とが密着する（第２の工程）。その後、第１及び第２の管部材３１，３２を抜き取る。
【００１７】
＜第１のフィルムと第２のフィルムとの溶着工程＞
図５に示すように、加熱手段としての平板でリング状の加熱工具７０を用いて、第１のフィルム１１が溶融可能で第１及び第２のテープ２１,２２片が溶融しない温度により、加熱工具により第１のテープ片２１と第２のテープ片２２との端部をそれぞれ加熱すると（第３の工程）、第１及び第２のフィルム１１,１２が溶融して接合する。これにより、容器本体３と第１及び第２のフィルム１１,１２との隙間を塞ぎ密着できる。
【００１８】
次に、食品用容器の使い方を図１から図３を参照して説明する。まず、容器本体３にそばなど入れて食した後、第２のテープ片２２を持ち上げると、第２のフィルム１２も持ち上げり、第１のフィルム１１と分離して内容物のかすなども第２のフィルム１２と共に廃棄する。この状態で、食品用容器１には、容器本体３と第１のフィルム１１と第１のテープ片２１とが残っていることになる。
【００１９】
その後、容器本体３にうどんなど入れて食した後、第１のテープ片２１を持ち上げると、第１のフィルム１１も持ち上がり、容器本体３から第１のフィルム１１を分離して内容物のかすなども第１のフィルム１１と共に廃棄する。この状態で、食品用容器１には、容器本体３のみが残っていることになる。この容器本体３を本来の食品用の容器としても利用できる。
【００２０】
本実施形態の食品用容器の製造方法は、底部から滑らかな曲面を有して開口を有する容器本体３の内面全体に第１のフィルム１１を置いた状態で、容器本体３の縁と第１のフィルム１１の端との間に第１の管部材３１を差し込む第１の工程の実行後、空気吸引手段により第１の管部材３２から空気を抜いて第１のフィルム１１と容器本体３の内面とを密着する第２の工程を実行する、ものである。このため、容器本体３の内面に第１のフィルム１１を簡易に密着できる。これにより、食品用容器１に食品を入れても、第１のフィルム１１が移動しにくいので、食品用容器１内の食品を箸などで安定して取り出して食することができる。
【００２１】
本実施形態の食品用容器の製造方法は、上面端部が接着可能な第１のテープ片２１を第１のフィルム１１の端部下面に接着する第１の準備工程を備える、ものである。
食品用容器にそばなどを入れて食した後、第１のテープ片２１を指で持ち上げることにより第１のフィルム１１も持ち上がるので、食べかす等が付着した第１のフィルム１１を容易に容器本体３から剥がすことができる。
【００２２】
本実施形態の食品用容器の製造方法は、上面端部が接着可能な第２のテープ片２２を第２のフィルム１２の端部下面に接着する第２の準備工程を備え、第１のフィルム１１に第２のフィルムを重ねた後、第１及び第２のテープ片２１,２２は、第１及び第２のフィルム１１,１２よりも耐熱性の高いテープから成り、加熱工具７０により第１及び第２のフィルム１１,１２を溶着してテープが溶けない温度にて熱を加えて作製する第３の工程を実行する、ものである。
これにより、第１のフィルム１１と第２のフィルム１２とが上面端部で溶着して接合するので、第１のフィルム１１と第２のフィルム１２とが簡易に接合して食品用容器１にそばなどを入れても、この内容物を安定して食することができる。そして、第１及び第２のテープ片２１,２２が溶けずに残る。
食品用容器にそばなどを食した後、第２のテープ片２１を指で持ち上げることにより第２のフィルム１２を容易に容器本体３から剥がすことができる。その後、食品用容器にうどんなどを食した後、同様にして第１の片を指で持ち上げることにより第１のフィルムを容易に容器本体から剥がすことができる
【００２３】
本発明は、上記発明の実施の形態の説明に何ら限定されるものではない。特許請求の範囲の記載を逸脱せず、当業者が容易に想到できる範囲で種々の変形態様も本発明に含まれる。
【符号の説明】
【００２４】
１  食品用容器、３  容器本体、１１  第１のフィルム、１２  第２のフィルム、８  隙間、２１  第１のテープ片、２２  第２のテープ片、３１  第１の管部材、３２  第２の管部材、５０  空気吸引具、７０  加熱工具。
【図１】
2015182768.tif 000003
【図２】
2015182768.tif 000004
【図３】
2015182768.tif 000005
【図４】
2015182768.tif 000006
【図５】
2015182768.tif 000007
【手続補正書】
【提出日】平成26年8月30日(2014.8.30)
【手続補正１】
【補正対象書類名】特許請求の範囲
【補正対象項目名】全文
【補正方法】変更
【補正の内容】
【特許請求の範囲】
【請求項１】
上面端部が接着可能な第１の片を第１のフィルムの端部下面に接着する第１の準備工程と、
上面端部が接着可能な第２の片を第２のフィルムの端部下面に接着する第２の準備工程を備え、
底部から滑らかな曲面を有して開口を有する容器本体の内面全体に前記第１のフィルムを置いた状態で、前記容器本体の縁と前記第１のフィルムの端との間に管部材を差し込む第１の工程の実行後、
空気吸引手段により前記管部材から空気を抜いて前記第１のフィルムと前記容器本体の内面とを密着する第２の工程を実行後、
前記第１のフィルムに前記第２のフィルムを重ねた後、
前記第１及び第２の片は、前記第１及び第２のフィルムよりも耐熱性の高いテープから成り、加熱手段により前記第１及び第２のフィルムを溶着して前記テープが溶けない温度にて熱を加えて作製する第３の工程を実行する、
ことを特徴とする食品用容器の製造方法。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】  食品用容器の製造方法は、上面端部が接着可能な第１の片を第１のフィルムの端部下面に接着する第１の準備工程と、上面端部が接着可能な第２の片を第２のフィルムの端部下面に接着する第２の準備工程を備え、
底部から滑らかな曲面を有して開口を有する容器本体の内面全体に前記第１のフィルムを置いた状態で、前記容器本体の縁と前記第１のフィルムの端との間に管部材を差し込む第１の工程の実行後、
空気吸引手段により前記管部材から空気を抜いて前記第１のフィルムと前記容器本体の内面とを密着する第２の工程を実行後、
前記第１のフィルムに前記第２のフィルムを重ねた後、
前記第１及び第２の片は、前記第１及び第２のフィルムよりも耐熱性の高いテープから成り、加熱手段により前記第１及び第２のフィルムを溶着して前記テープが溶けない温度にて熱を加えて作製する第３の工程を実行する、
ことを特徴とする。
これにより、第１のフィルムと第２のフィルムとが上面端部で溶着して接合するので、第１のフィルムと第２のフィルムとが簡易に接合して食品用容器にそばなどを入れても、この内容物を安定して食することができる。そして、第１及び第２の片が溶けずに残る。
食品用容器にそばなどを食した後、第２の片を指で持ち上げることにより第２のフィルムを容易に容器本体から剥がすことができる。その後、食品用容器にうどんなどを食した後、同様にして第１の片を指で持ち上げることにより第１のフィルムを容易に容器本体から剥がすことができる。